(57)【特許請求の範囲】
【請求項１】
外部操作部材と、
外部装置とのデータ通信を行う通信手段と、
前記外部操作部材の操作による通信許可信号の出力により、該通信手段の動作を許可し、通信許可信号の停止により該通信手段の動作を禁止する通信許可信号発生回路と、
前記通信許可信号の出力によりカウントを開始し、
所定時間計時するとタイムアップしタイムアップ信号を出力するタイマを有し、
該タイマが、所定時間を計測しタイムアップ信号を出力すると、
前記通信許可信号発生回路が通信許可信号の出力を停止する
ことを特徴とする電子時計。
【請求項２】
前記外部操作部材として、第１操作部材と、該第１操作部材とは異なる第２操作部材を有し、
通常状態における該第１操作部材の操作により時刻修正状態に移行すると共に、
前記通信許可信号発生回路が前記通信許可信号を出力し、前記タイマがカウントを開始し、
前記タイムアップ信号の出力により前記通常状態に復帰するとともに、
前記時刻修正状態における前記第２操作部材による修正操作により、
前記通信許可信号発生回路が前記通信許可信号の出力を停止するとともに、
前記タイマがリセットされて再スタートする
ことを特徴とする請求項１に記載の電子時計。
【発明の詳細な説明】
【０００１】
【発明の属する技術分野】
本発明は指針式電子時計に関する。
【０００２】
【従来の技術】
従来、指針式電子時計に於いて駆動回路の一部を構成するコイルと外部装置との間でデータ通信を行うとき、指針式電子時計はタイミング信号として１秒毎に指針を駆動する駆動信号を用い、タイミング信号出力後の一定期間、外部装置からのデータを受け付ける状態にする指針式電子時計が提案されている（例えば、ＷＯ９４／１６３６６号）。
【０００３】
【発明が解決しようとする課題】
上記方式は、１秒信号を常時出力しているため、タイミング信号出力後の一定期間は常に外部装置からのデータを受け付ける状態に回路を動作させおり、電池寿命の長期化を阻んでいる。本発明の目的は外部装置との間でデータ通信を行う期間を限定し、電池寿命の長期化を図ると共に期間を限定したために、ノイズなどによる誤ったデータを受け付ける機会を低減した指針式電子時計を提供するものである。
【０００４】
【課題を解決するための手段】
上記目的を達成するための本発明は、
外部操作部材と、
外部装置とのデータ通信を行う通信手段と、
前記外部操作部材の操作による通信許可信号の出力により、該通信手段の動作を許可し、通信許可信号の停止により該通信手段の動作を禁止する通信許可信号発生回路と、
前記通信許可信号の出力によりカウントを開始し、
所定時間計時するとタイムアップしタイムアップ信号を出力するタイマを有し、
該タイマが、所定時間を計測しタイムアップ信号を出力すると、
前記通信許可信号発生回路が通信許可信号の出力を停止する
ことを特徴とする。
【０００８】
また、
前記通信許可信号の出力中に前記外部操作部材による操作が実行されると
前記通信許可信号発生回路が前記通信許可信号の出力を停止するとともに、
前記タイマがリセットされて再スタートする
ことを特徴とする。
【００１０】
【発明の実施の形態】
以下図面に基づき本発明の一実施形態を説明する。図１は本発明における指針式電子時計の外観図１である。５０は指針式電子時計本体、３２は指針式電子時計５０に備えられた１２時間制の時刻、日を表示する運針表示であり、３２ｅの文字板、３２ａの秒針、３２ｂの分針、３２ｃの時針、３２ｄの日板で構成され図中の表示状態では８日、１０時０９分３５秒を表示している。１４は通常位置状態で時差修正機能選択時に回転操作することにより時差修正を行い、又、１４ａの１段目引き出し位置でカレンダモニタ表示、回転操作することによりカレンダ修正を行い、更に、１４ｂの２段目引き出し位置で回転操作することにより時刻修正を行うためのリューズである。１４Ｂは時差修正機能等を選択するためのプッシュボタンである。
【００１１】
図２は本発明における一実施例である指針式電子時計の回路ブロック線図である。１は水晶振動子を基準信号とする発振回路を含む発振器であり、２は発振器１からの発振信号を入力して分周信号Ｓ２及び計時信号として１秒信号１Ｓを出力する分周回路であり、後述する通信ブロック４０からのデータ信号Ｓ４０も入力している。１００は計時回路であり、分周回路２からの１秒信号１Ｓを入力し、計時情報Ｓ１００を出力する。又、後述する修正制御回路８００から１時間単位の時差修正信号Ｓ８００を入力している。
【００１２】
１４０は外部操作部材に連動して動作するスイッチ回路であり、リューズ１４の位置情報及び回転情報、プッシュボタン１４Ｂの操作情報をスイッチ情報Ｓ１４０として出力する。８００は修正制御回路であり、スイッチ入力回路１４０のスイッチ情報Ｓ１４０を入力し、時差修正信号Ｓ８００及び時差修正機能選択信号Ｓ８０１を出力する。又、後述するタイマ回路１５のタイムアップ信号Ｓ１５で初期化される。
【００１３】
１５はタイマ回路であり、時差修正機能が選択されたときに分周信号Ｓ２のカウントを開始し、時差修正が行われた時に出力される1時間単位の時差修正信号Ｓ８０１でリセットされ再スタートする。該タイマ回路１５は一定時間内に時差修正操作が行われないとタイムアップ信号Ｓ１５を出力し、選択された時差修正機能から通常時計状態に復帰するように修正制御回路８００を初期化する。１９はデータ通信許可信号発生回路であり、時差修正機能選択信号Ｓ８０１を受け、通信許可信号Ｓ１９を出力し、時差修正操作が行われた時の時差修正信号Ｓ８００により許可信号Ｓ１９の出力を停止する。
【００１４】
４０はデータ通信ブロックであり、通信許可信号Ｓ１９が許可信号を出力している間、変換機駆動回路の一部を構成するコイル２００からの通信データＳ２００を入力し、データ処理を行い、例えば歩度調整データとしてデータ信号Ｓ４０を出力する。２００は変換機駆動回路の一部を構成するコイルであり、計時回路１００からの計時情報Ｓ１００により、ステップモータ２５０を駆動し、減速輪列系の一部に支持された秒針３２ａ、分針３２ｂ、時針３２ｃ、日板３２ｄで時刻・日を表示する。
【００１５】
次に上記構成における指針式電子時計の動作を説明する。スイッチ回路１４０からのスイッチ情報Ｓ１４０で修正制御回路８００が時差修正機能を選択すると、時差修正機能選択信号Ｓ８０１を出力する。  時差修正機能選択信号Ｓ８０１によりタイマ回路１５は分周信号Ｓ２のカウントを開始し、またデータ通信許可信号発生回路１９は通信許可信号Ｓ１９を出力する。データ通信ブロック４０は通信許可信号Ｓ１９により、変換機駆動回路の一部を構成するコイル２００からの通信データＳ２００を許可状態にし、通信データがあればデータ処理を行い、歩度調整データとして分周回路２にデータ信号Ｓ４０を出力する。分周回路２はデータ信号Ｓ４０により歩度調整を行い、分周信号Ｓ２及び１秒信号１Ｓを出力する。
【００１６】
修正制御回路８００は時差修正機能を選択し、時差修正が行われると時差修正信号Ｓ８００を出力する。計時回路１００は時差修正信号Ｓ８００により１時間単位の時差修正を行い、計時情報Ｓ１００を出力し、コイル２００、ステップモータ２５０を介して時針３２ｃが１時間分作動する。一方データ通信許可信号発生回路１９は時差修正信号Ｓ８００により通信許可信号Ｓ１９の出力を停止する。そのため通信ブロック４０はその動作を停止する。又、タイマ回路１５は時差修正信号Ｓ８０１でリセットされ再スタートするため、タイムアップ信号Ｓ１５は出力されず、修正制御回路８００は時差修正機能の選択を維持する。
【００１７】
次に修正制御回路８００が時差修正機能を選択し、一定期間時差修正が行われないときについて説明する。タイマ回路１５は一定時間内に時差修正操作が行われないと分周回路２の分周信号Ｓ２カウントし続けタイムアップ信号Ｓ１５を出力する。修正制御回路８００はタイムアップ信号Ｓ１５で選択されたいる時差修正機能から通常時計状態に復帰する。このように、外部装置とのデータ通信を特定の機能で行い、スイッチ操作及び一定期間データを受信しないとデータ通信を禁止する禁止状態を設けている。
【００１８】
続いて図３において本発明における指針式電子時計の詳細な説明を行う。１は水晶振動子を基準信号とする発振回路を含む発振器であり、２は発振器１からの発振信号を入力して計時信号として１秒信号１Ｓを出力する分周回路である。３は秒カウンタであり、分周回路２からの１秒信号１Ｓを入力し、秒計時情報Ｓ３及び１分信号１Ｍを出力する。又、後述する時差修正機能が選択されたことを表示するための時差修正確認信号Ｓ９０を入力している。但し、該時差修正確認信号Ｓ９０による１分信号１Ｍの出力はしない。更に、該秒カウンタ３は後述するリューズ１４の２段引き出し操作で出力されるリューズ２段位置信号Ｓ８２で００秒に初期化され、１秒信号１Ｓの入力を禁止する。
【００１９】
４は分カウンタであり、秒カウンタ３からの１分信号１Ｍ又は後述する分時修正信号Ｓ１６０を入力し、分計時情報Ｓ４及び１時間信号１Ｈを出力する。５は時カウンタであり、分カウンタ４からの１時間信号１Ｈを入力し、時計時情報Ｓ５及び１日信号１Ｄを出力する。６は日カウンタであり、時カウンタ５からの１日信号又は後述する日修正信号Ｓ１７０を入力し、日計時内容を日板位置に変換した日板変換情報Ｓ６及び１月信号１Ｔを出力する。７は月・年（４進）カウンタであり、日カウンタ５からの１月信号１Ｔを入力し、月・年計時情報Ｓ７を出力する。
【００２０】
１０は針位置変換回路Ａであり、秒カウンタ３の秒計時情報Ｓ３、分カウンタ４の分計時情報Ｓ４、時カウンタ５の時計時情報Ｓ５を入力し、針位置に変換した時分針変換情報Ｓ１０を出力する。後述する減速輪列系Ｂ２７の分車に支持された分針３２ｂは１５秒運針であるため、時分針変換情報Ｓ１０は１５秒単位で出力される。１１は針位置変換回路Ｂであり、秒カウンタ３の秒計時情報Ｓ３及び月・年カウンタ７の月・年計時情報Ｓ７を入力し、後述するリューズ１段位置信号Ｓ８３で選択された情報を針位置に変換した秒針変換情報Ｓ１１を出力する。
【００２１】
１４は外部操作部材に連動して動作するスイッチ群であり、リューズ１４の１段引き出し位置に連動して作動するスイッチＳＷａ、２段引き出し位置に連動して動作するスイッチＳＷｂ、正回転操作で作動するスイッチＳＷｃ、逆回転操作で作動するスイッチＳＷｄ、プッシュボタン１４Ｂの操作により作動するスイッチＳＷｅで構成されている。８はスイッチ入力回路であり、前述の各スイッチを入力とし、プッシュボタン操作信号Ｓ８５、リューズ１４の通常位置信号Ｓ８４、１段位置信号Ｓ８３、２段位置信号Ｓ８２、正転操作信号Ｓ８１、逆転操作信号Ｓ８０を出力する。
【００２２】
９は修正信号発生回路であり、スイッチ入力回路８のプッシュボタン操作信号Ｓ８５、リューズ１４の通常位置信号Ｓ８４、１段位置信号Ｓ８３、２段位置信号Ｓ８２及び正転操作信号Ｓ８１、逆転操作信号Ｓ８０を入力し、以下の信号を出力している。リューズ通常位置状態のプッシュボタン操作で通常時計状態から時差修正機能を選択した時に出力する時差修正選択信号Ｓ９４及び時差修正機能が選択されたことを表示（例えば後述秒針３２ａを１周）するための時差修正確認信号Ｓ９０。リューズ１４通常位置、２段位置双方の正逆回転操作で出力する正逆転修正信号Ｓ９１。リューズ１段位置の逆回転操作で出力する逆転修正信号Ｓ９２及び正回転操作で出力する正転修正信号Ｓ９3を出力する。
【００２３】
１２は基準位置設定回路であり、電池投入等で全体を初期化する（図示は省略）所謂システムリセット直後、各針を基準位置に合わせるモードに設定し、基準位置設定信号Ｓ１２は初期値として”Ｈ”を出力する。基準位置設定信号Ｓ１２が”Ｈ”の時、秒カウンタ３は分周回路２から出力される１秒信号１Ｓの入力を禁止する。これらは図示すると煩雑になるので省略する。同様に分カウンタ４は秒カウンタ３から出力される１秒信号１Ｓの入力を、日カウンタ６は時カウンタ５から出力される１日信号１Ｄの入力を、月・年カウンタ７は日カウンタ６から出力される１月信号１Ｔの入力をそれぞれ禁止する。
【００２４】
１３は基準位置設定終了回路であり、リューズ２段位置、１段位置で各々リューズ正回転操作又は逆転操作で、各針を基準位置に合わせた後にリューズを通常位置に押込んだ時に設定終了信号Ｓ１３に”Ｈ”を出力し、基準位置設定回路１２をリセットする。基準位置設定回路１２はリセットされると基準位置設定信号Ｓ１２を”Ｌ”にする。同時に秒カウンタ３、分カウンタ４、時カウンタ５、日カウンタ６を初期化する（図示は省略）。
【００２５】
１６は分時修正信号発生回路であり、正逆転修正信号Ｓ９１を入力し、基準位置設定信号Ｓ１２が”Ｌ”の時に、リューズ２段位置の正逆回転操作で±1分単位の修正信号及びリューズ通常位置で時差修正機能が選択された時の正逆回転操作で±1時間単位の時差修正信号を分時修正信号Ｓ１６０として出力し、”Ｈ”の時は後述する分針３２ｂ、時針３２ｃを基準位置に合わせるために±１パルス単位の分時針基準修正信号Ｓ１６１を出力する。１７は日修正信号発生回路であり、リューズ１段位置のリューズ逆回転操作で出力する逆転修正信号Ｓ９２を入力し、基準位置設定信号Ｓ１２が”Ｌ”の時に、１日単位（例えば１２０パルス）の日修正信号Ｓ１７０を出力し、”Ｈ”の時に後述する日板３２ｄを基準位置に合わせるために１パルス単位の日板基準修正信号Ｓ１７１を出力する。１８は経年・月修正信号発生回路であり、リューズ１段位置のリューズ正回転操作で出力する正転修正信号Ｓ９３を入力し、基準位置設定信号Ｓ１２が”Ｌ”の時に、月・年修正信号Ｓ１８０を出力し、”Ｈ”の時に後述する秒針３２ａを基準位置に合わせるために１パルス単位の秒針基準修正信号Ｓ１８１を出力する。
【００２６】
１５はタイマ回路であり、時差修正機能が選択されたときに１秒信号１Ｓのカウントを開始し、時差修正が行われ±1時間単位の時差修正信号でリセットされ再スタートする。該タイマ回路１５は一定時間内に時差修正操作が行われないとタイムアップ信号Ｓ１５を出力し、選択された時差修正機能から通常時計状態に復帰するように修正信号発生回路９を初期化する。１９はデータ通信許可信号発生回路であり、時差修正選択信号Ｓ９４により通信許可信号Ｓ１９を出力し、時差修正操作が行われた時の分時修正信号Ｓ１６０により通信許可信号Ｓ１９の出力を停止する。
【００２７】
２０は駆動信号発生回路Ａであり、記憶回路と比較回路で構成され、前回記憶された秒針変換情報Ｓ１１（現在針位置）と新たな秒針変換情報Ｓ１１（目標針位置）を比較算出し、差分パルス数を駆動信号Ｓ２０として出力する。又、各針を基準位置に合わせるモードが設定された時は、１パルス単位の秒針基準修正信号Ｓ１８１を入力し、１パルス単位の駆動信号Ｓ２０を出力する。２１は交互に極性の異なる駆動パルスを出力する変換機駆動回路Ａであり、駆動信号発生回路Ａ２０からの駆動信号Ｓ２０に応じた駆動パルスＳ２１０を出力する。又、変換機駆動回路Ａ２１の一部を構成するコイルで外部装置からの通信データを受信データＳ２１１として出力する。２２は変換機駆動回路Ａ２１からの交互駆動パルスにより駆動されるステップモータ、２３はスッテプモータ２２に噛合わされる減速輪列系Ａであり、該減速輪列系２３Ａの一部を構成する秒車に支持された秒針３２ａで秒或いは経年・月の表示を行う。４０はデータ通信ブロックであり、通信許可信号Ｓ１９が許可信号を出力している間、変換機駆動回路Ａ２１からの受信データＳ２１１を入力し、データ処理を行い、例えば歩度調整データとしてデータ信号Ｓ４０を出力する。
【００２８】
２４は駆動信号発生回路Ｂであり、記憶回路と比較回路で構成され、前回記憶された時分針変換情報Ｓ１０（現在針位置）と新たな時分針変換情報Ｓ１０（目標針位置）を比較算出し、目標針位置までの差分パルス数を駆動信号Ｓ２４として出力する。該駆動信号Ｓ２４は目標針位置迄の到達時間短縮のため正転信号又は逆転信号が選択される。又、各針を基準位置に合わせるモードが設定された時は、±１パルス単位の分時針基準修正信号Ｓ１６１を入力し、１パルス単位の駆動信号Ｓ２４を出力する。２５は交互に極性の異なる駆動パルスを出力する変換機駆動回路Ｂであり、駆動信号発生回路Ｂ２４からの駆動信号Ｓ２４に応じた駆動パルスＳ２５を出力する。２６は変換機駆動回路Ｂ２４からの交互駆動パルスにより駆動されるステップモータ、２７はスッテプモータ２６に噛合わされる減速輪列系Ｂであり、該減速輪列系Ｂ２７の一部を構成する分車、時車に支持された分針３２ｂ、時針３２ｃで分、時の表示を行う。
【００２９】
２８は駆動信号発生回路Ｃであり、記憶回路と比較回路で構成され、前回記憶された日板変換情報Ｓ６（現在針位置）と新たな日板変換情報Ｓ６（目標針位置）を比較算出し、差分パルス数を駆動信号Ｓ２８として出力する。又、各針を基準位置に合わせるモードが設定された時は、１パルス単位の日板基準修正信号Ｓ１７１を入力し、１パルス単位の駆動信号Ｓ２４を出力する。２９は交互に極性の異なる駆動パルスを出力する変換機駆動回路Ｃであり、駆動信号発生回路Ｃ２８からの駆動信号Ｓ２８に応じた駆動パルスＳ２９を出力する。３０は変換機駆動回路Ｃ２９からの交互駆動パルスにより駆動されるステップモータ、３１はスッテプモータ３０に噛合わされる減速輪列系Ｃであり、該減速輪列系Ｃ３１の一部を構成する日車に支持された日板３２ｄで日の表示を行う。（８日を表示している）。
【００３０】
次に上記構成における指針式電子時計の動作を図３に基づいて説明する。先ずシステムリセット直後に以下の手順で基準位置合わせ操作を行う。
１．リューズ２段位置状態のリューズ正逆回転操作で分針３２ｂ、時針３２ｃを１２時位置に合わせる。
２．リューズ１段位置状態のリューズ正回転操作で秒針３２ａを１２時位置、リューズ逆回転操作で日板３２ｄを１日位置に合わせる。
３．リューズ１４を通常位置に戻し、基準位置合わせを終了する。
上記動作を説明すると、システムリセット直後、基準位置設定回路１２の基準位置設定信号Ｓ１２が”Ｈ”になり、分時修正信号発生回路１６、日修正信号発生回路１７、経年・月修正信号発生回路１８は秒針３２ａ、分針３２ｂ、時針３２ｃ、日板３２ｄ、を基準位置に合わせるための分時針基準修正信号Ｓ１６１、日板基準修正信号Ｓ１７１、秒針基準修正信号Ｓ１８１を各々選択する。この状態でリューズ２段位置のリューズ正逆回転操作を行うと、スイッチ入力回路８はリューズ２段位置信号Ｓ８２を”Ｈ”にし、秒カウンタ３のカウントを停止すると共に正転操作信号Ｓ８１又は逆転操作信号Ｓ８０を出力する。
【００３１】
分時修正信号発生回路１６は修正信号発生回路９からの正逆転修正信号Ｓ９１で分時針基準修正信号Ｓ１６１を出力する。駆動信号発生回路Ｂ２４は、分時針基準修正信号Ｓ１６１に応じた駆動信号Ｓ２４を出力し、変換機駆動回路Ｂ２５を介して、ステップモータ２６を駆動する。この結果、分針３２ｂ、時針３２ｃを１ステップ秒単位で修正する。引き続きリューズ回転操作を行い、分針３２ｂ、時針３２ｃを基準位置である１２時位置に合わせる。
【００３２】
次に秒針３２ａを１２時位置、日板３２ｄを１日位置に合わせる時の動作を説明する。分針３２ｂ、時針３２ｃを基準位置に合わせた後、リューズを１段位置にしてリューズ正回転操作を行うと、スイッチ入力回路８はリューズ１段位置信号Ｓ８３が”Ｈ”になり、正転操作信号Ｓ８１を出力する。経年・月修正信号発生回路１８は修正信号発生回路９からの正転修正信号Ｓ９３で秒針基準修正信号Ｓ１８１を出力する。駆動信号発生回路Ａ２０は、秒針基準修正信号Ｓ１８１に応じた駆動信号Ｓ２０を出力し、変換機駆動回路Ａ２１を介して、ステップモータ２２を駆動する。この結果、秒針３２ａを１ステップ秒単位で修正する。
【００３３】
引き続きリューズ回転操作を行い、秒針３２ａを基準位置である１２時位置に合わせる。続いてリューズ逆回転操作を行うと、スイッチ入力回路８は逆転操作信号Ｓ８０を出力する。日修正信号発生回路１７は修正信号発生回路９からの逆転修正信号Ｓ９２で日板基準修正信号Ｓ１７１を出力する。駆動信号発生回路Ｃ２８は、日板基準修正信号Ｓ１７１に応じた駆動信号Ｓ２８を出力し、変換機駆動回路Ｃ２９を介して、ステップモータ３０を駆動する。この結果、秒針３２ａを１ステップ秒単位で修正する。引き続きリューズ回転操作を行い、日板３２ｄを基準位置である１日位置に合わせる。
【００３４】
秒針３２ａ、分針３２ｂ、時針３２ｃ、日板３２ｄを基準位置に合わせたら、リューズを通常位置（０段）に戻す。この結果、基準位置設定終了回路１３の設定終了信号Ｓ１３で、基準位置設定回路１２をリセットし、基準位置合せを終了する。同時に計時カウンタである秒カウンタ３〜月・年カウンタ７を初期化するため、針位置とカウンタの内容が一致する。同時に１秒運針動作を開始する。
【００３５】
次は時刻・カレンダ合せ操作について説明する。
１．リューズ２段位置のリューズ回転操作で分針３２ｂ、時針３２ｃを現在分、時に合わせる。
２．時報の正分でリューズ２段を解除する。
３．リューズ１段のリューズ正回転操作で秒針３２ａを現在経年・月、逆回転操作で日板３２ｄを現在日に合わせる。
４．リューズ１段を解除し、通常位置にする。
上記動作を説明すると、リューズ２段引き出し位置でスイッチ入力回路８はリューズ２段位置信号Ｓ８２を”Ｈ”にし、秒カウンタ３をリセットすると共にカウントを停止する。針位置変換回路Ｂ１１は新たな秒針変換情報Ｓ１１出力し、駆動信号発生回路Ａ２０は差分パルス数を駆動信号Ｓ２０として出力する。変換機駆動回路Ａ２１はステップモータ２２を駆動し、減速輪列系Ａ２３の秒針車に支持された秒針３２ａを帰零（１２時位置に運針）する。
【００３６】
この状態（リューズ２段位置）でリューズ正逆回転操作を行うと、修正信号発生回路９は正逆転修正信号Ｓ９１を出力する。分時修正信号発生回路１６は基準位置設定信号Ｓ１２が”Ｌ”であるため分時修正信号Ｓ１６0に1分単位の修正信号を出力する。分カウンタ４は分時修正信号Ｓ１６0により１分加算又は減算を行う。時カウンタ５は分カウンタ４に連動して修正される。分計時情報Ｓ４、時計時情報Ｓ５を入力する針位置変換回路Ａ１０は新たな分時針変換情報Ｓ１１を出力し、駆動信号発生回路Ａ２４は差分パルス数４（１分単位）の駆動信号Ｓ２４を出力する。変換機駆動回路Ｂ２５はステップモータ２６を駆動し、減速輪列系Ｂ２７の分車、時車に支持された分針３２ｂ、時針３２ｃを作動し、１分単位修正する。この方法で現在分、時に合わせ、時報の正分でリューズ２段を解除すると秒カウンタ３のリセットが解除され１秒カウントを開始する。同時に秒針３２ａが１秒運針を開始する。
【００３７】
次の現在経年・月、現在日合わせ操作はリューズ１段のリューズ回転操作で行う。リューズ２段引き出し位置でスイッチ入力回路８はリューズ１段位置信号Ｓ８３が”Ｈ”になり、針位置変換回路Ｂ１１は秒計時情報Ｓ３から月・年計時情報Ｓ７に切り換え新たな秒針変換情報Ｓ１１出力する。駆動信号発生回路Ａ２０は差分パルス数を駆動信号Ｓ２０として出力する。変換機駆動回路Ａ２１はステップモータ２２を駆動し、減速輪列系Ａ２３の秒針車に支持された秒針３２ａで経年・月を表示する。
【００３８】
この状態（リューズ１段位置）でリューズ正回転操作を行うと、修正信号発生回路９は正転修正信号Ｓ９３を出力する。経年・月修正信号発生回路１８は基準位置設定信号Ｓ１２が”Ｌ”であるため経年・月修正信号Ｓ１８０を出力し、月・年カウンタ７を修正する。針位置変換回路Ｂ１１は新たな秒針変換情報Ｓ１１を出力し、駆動信号発生回路Ａ２０は差分パルス数を駆動信号Ｓ２０として出力する。変換機駆動回路Ａ２１はステップモータ２２を駆動し、減速輪列系Ａ２３の秒針車に支持された秒針３２ａで修正した経年・月を表示する。引き続きリューズ正回転操作を行い、秒針３２ａを現在経年・月に合わせる。
【００３９】
次に日を合わせるには、リューズ逆回転操作で行う。リューズ逆回転操作を行うと、修正信号発生回路９は逆転修正信号Ｓ９２を出力する。日修正信号発生回路１７は基準位置設定信号Ｓ１２が”Ｌ”であるため日修正信号Ｓ１７０を出力し、日カウンタ６を修正する。日カウンタ６は新たな日計時情報Ｓ６出力し、駆動信号発生回路Ａ２８は差分パルス数を駆動信号Ｓ２８として出力する。変換機駆動回路Ｃ２９はステップモータ３０を駆動し、減速輪列系Ｃ３１の日車に支持された日板３２ｄで修正した日を表示する。引き続きリューズ逆回転操作を行い、日板３２ｄを現在日に合わせる。経年・月、日を合わせたら、リューズ１段を解除し、通常位置にする。通常位置ではスイッチ入力回路８のリューズ１段位置信号Ｓ８３が”Ｌ”になり、針位置変換回路Ｂ１１は秒計時情報Ｓ３を選択し、秒針変換情報Ｓ１１を出力し、秒針３２ａで秒を表示に復帰する。
【００４０】
次は時差修正機能を選択してデータ通信許可状態にすることについて説明する。リューズ０段位置の通常時計状態でプッシュボタン１４Ｂを操作すると、スイッチ入力回路８のプッシュボタン操作信号Ｓ８５で、修正信号発生回路９は時差修正機能を選択し、時差修正選択信号Ｓ９４及び時差修正確認信号Ｓ９０を出力する。時差修正確認信号Ｓ９０は時差修正機能が選択されたことを秒針３２ａで識別表示するために、秒針３２ａを１周（６０ステップ）させるパルスを発生し、秒カウンタ４に入力する。新たな秒計時情報Ｓ３が針位置変換回路Ｂ１１を介し、駆動信号発生回路Ａ２０に入力され、変換機駆動回路Ａ２１はステップモータ２２を駆動し、秒針３２ａを1周させる.
【００４１】
一方、時差修正選択信号Ｓ９４によりタイマ回路１５は１秒信号１Ｓのカウントを開始し、データ通信許可信号発生回路１９は通信許可信号Ｓ１９を出力する。データ通信ブロック４０は通信許可信号Ｓ１９により、変換機駆動回路Ａ２１からの受信データＳ２１１を受け付ける状態になる。この状態（時差修正機能）で時差修正を行うためにリューズ回転操作を行うと分時修正信号発生回路１６はリューズ通常位置で時差修正機能が選択されているので±1時間単位の時差修正信号を分時修正信号Ｓ１６０に出力する。分カウンタ４、時カウンタ５は±1時間単位の時差修正信号である分時修正信号Ｓ１６０を入力し、１時間の加算又は減算を行うと共にタイマ回路１５を再スタートする。同時にデータ通信許可信号発生回路１９は分時修正信号Ｓ１６０により通信許可信号Ｓ１９の出力を停止する。よって外部装置とのデータ通信は禁止される。
【００４２】
１時間の加算又は減算された新たな分計時情報Ｓ４、時計時情報Ｓ５と秒計時情報Ｓ３が針位置変換回路Ａ１０を介し、駆動信号発生回路Ｂ２４に入力され、変換機駆動回路Ｂ２５はステップモータ２６を駆動し、分針３２ｂ、時針３２ｃで±１時間単位の表示を行う。引き続きリューズ回転操作を行い、目的の時差に合わせる。この間、タイマ回路１５は再スタートするため、タイムアップ信号Ｓ１５を出力しない。
【００４３】
次にリューズ回転操作を行わない、つまり時差修正を行わないときについて説明する。時差修正が行われないと、分時修正信号発生回路１６から分時修正信号Ｓ１６０が出力されないため、タイマ回路１５を再スタートせず、タイマ回路１５は、１秒信号１Ｓのカウントを継続し、一定時間経過するとタイムアップ信号Ｓ１５を出力する。修正信号発生回路９はタイムアップ信号Ｓ１５により、時差修正機能から通常時計状態に復帰し、時差修正選択信号Ｓ９４の出力を初期化する。データ通信許可信号発生回路１９は時差修正選択信号Ｓ９４により、データ通信許可状態から禁止状態にセットされ、外部装置とのデータ通信が禁止される。
【００４４】
以上本実施形態を説明したが本発明はこれに限られるものではなく、例えば通信方法においても赤外線や光を用いたものでもよい。また電子時計も指針式に限らずデジタル表示式のものでも実現可能である。
【００４５】
【発明の効果】
上記のごとく本発明によれば、変換機駆動回路の一部を構成するコイルと外部装置とのデータ通信にスイッチ操作による外部通信モードを設けているのでノイズによる誤動作を最小限にでき、外部通信モードを他のモードと兼用しているので特別な操作子を設けなくて実現可能である。又、他のモードを使用する操作が行われると、即外部通信モードキャンセルされるため他のモード使用による誤動作の危険性を最小限にでき、更に、外部通信モードにが入ってもタイマーのカウントアップでモードがキャンセルされるため誤動作の危険性を最小限にした指針式電子時計を供給できる。
【図面の簡単な説明】
【図１】本発明の一実施例である指針式電子時計の外観図である。
【図２】本発明の一実施例である指針式電子時計の回路ブロック図である。
【図３】本発明の一実施例である指針式電子時計の回路ブロック図である。
【符号の説明】
１０  針位置変換回路Ａ
１１  針位置変換回路Ｂ
１４  リューズ
１４Ｂ  プッシュボタン
１５  タイマ回路
１６  分時修正信号発生回路
１９  データ通信許可信号発生回路
２０  駆動信号発生回路Ａ
２１  変換機駆動回路Ａ
２４  駆動信号発生回路Ｂ
２５  変換機駆動回路Ｂ
２８  駆動信号発生回路Ｃ
２９  変換機駆動回路Ｃ
３２ａ  秒針
３２ｂ  分針
３２ｃ  時針
３２ｄ  日板
４０  通信ブロック
１００  計時回路
２００  コイル
８００  修正制御回路
【図１】
0004786788.tif 000002
【図２】
0004786788.tif 000003
【図３】
0004786788.tif 000004